(57)【要約】【課題】多孔帯状体を使用した法枠と、受圧板を強固に一体化する構造を提供する。【解決手段】斜面に取り付ける基盤と挟み枠で構成する。基盤に１箇所または複数個所の開口部と、挟み枠を取り付けるリブを備える。受圧板と挟み枠との間に法枠を構成する多孔帯状体を中心部で挟んで固定した斜面安定用受圧板と安定化構造である。【選択図】図１
2015132083.tif 000002
【特許請求の範囲】
【請求項１】
法面上に設置した縦枠多孔帯状体と、横枠多孔帯状体で格子状に構成した骨組みを備え、
縦横の多孔帯状体の交点部に基盤と挟み枠で構成した受圧板が設置してあり、
この受圧板の上に、横枠多孔帯状体かつ縦枠多孔帯状体が交差するように敷設してあり、
その多孔帯状体の交差部の中心において、上から挟み枠で多孔帯状体を挟んであり、
受圧板を貫通して法面内の地山にアンカーを設置して定着してあり、
その上から、植生基盤材が吹き付けてある、斜面安定化構造。
【請求項２】
法面上に設置した縦枠多孔帯状体と、横枠多孔帯状体の交差部の中心は、
基盤中心部に枠状に突設したリブと、
そのリブに取り付け自在の挟み枠で挟んで取り付けてある、
請求項１記載の斜面安定化構造。
【請求項３】
法面上に設置した縦枠多孔帯状体と、横枠多孔帯状体で格子状に構成した法枠に使用する受圧板であり、
受圧板は、斜面に取り付ける基盤と、
基盤にその上から取り付ける挟み枠によって構成し、
基盤は、
開口部と、挟み枠を取り付けるリブとアンカー孔を備え、
リブは、アンカー孔の周囲を囲む基盤の中心部に位置しており、
リブは、凹部構造を形成した矩形型あるいは多角形型または丸型となっており、
リブの凹部は、アンカーを螺合する締結具を収納できる高さに形成してあり、
基盤と挟み枠との間に、法枠の骨組みを構成する多孔帯状体を挟んで固定することができる、
斜面安定用受圧板。
【発明の詳細な説明】
【技術分野】
【０００１】
本発明は斜面の安定化構造と、斜面安定用受圧板に関するものである。
【背景技術】
【０００２】
斜面の崩壊を阻止する工法として、斜面に格子状にモルタルやコンクリートを吹き付けて構成する法枠が広く採用されている。                    さらに特許文献１に示すように、金属の網で構成したシート状網体を湾曲させ、長さ方向に連続させ、所要位置で十字状に交差させてその上からモルタルやコンクリートを吹き付ける工法も知られている。                        
あるいは特許文献２に示すように、斜面に敷設した金網のような多孔敷設材の上から受圧板を取り付け、アンカーで抑える工法も知られている。  
また、特許文献３に示すように、縦横の多孔網状体の交点部に基盤と挟み枠で構成した受圧板が設置してあり、この受圧板の上に縦枠か横枠のいずれかの多孔帯状体が敷設してあり、挟み枠で挟んで取り付けた後に、他の多孔帯状体を取り付け、その上から植生基盤材が吹き付けてある工法も知られている。        
さらに特許文献４に示すように、平板状の押圧部材と平板状の支圧部材間にベルト部材を挟み込んで地山に設置した補強材に螺合して、締結具により押し込んでベルト部材を固定する工法も知られている。                       
これらの工法では、法枠を構築するだけでなく、次の工程では法枠で囲まれた地山の露出した範囲には植生を施して景観に考慮する作業が行われていることが多い。
【先行技術文献】
【特許文献】
【０００３】
【特許文献１】特開平８−１５１６３７号公報。
【特許文献２】特開２００８−３０３６７１号公報。
【特許文献３】特開２０１１−８９３０８号公報。
【特許文献４】特開２０１２−２４６６６１号公報。
【発明の概要】
【発明が解決しようとする課題】
【０００４】
前記の特許文献１などで開示されている従来の法枠施工による斜面の安定化にあっては、次のような問題点がある。                       
＜１＞ 十文字状の法枠で囲まれた範囲に植生を施すから、その範囲では植物が青々と育って良い景観を与えることができる。しかし、法枠自体はコンクリート、モルタル製であるから、そこだけは植物が育つことがなく、遠方から見ると白っぽい枠体として法面に浮き上がって見えて、せっかくの景観を損なってしまう。  
＜２＞ 景観を良好にするために、コンクリートなどを使用せず、斜面に網状の部材を組んで、砂などを詰めて、この砂などに植生し、斜面全体を緑化することが考えられる。しかしながら、網状の部材から成る法枠だけでは充分な斜面の安定を得るまでは至らず、斜面の安定化工法としては物足りないものがあった。      
【０００５】
前記の特許文献２に示す工法では次のような問題がある。
＜１＞  斜面の表面に敷設した金網のような多孔敷設材と、アンカーに取り付けた受圧板との間は、相互にスライドする可能性がある。            
＜２＞  このように両者の材料が一体化しておらず独立して存在しているから、一体として挙動することがない。                   
＜３＞  さらに受圧板と、その周囲の法枠との間にはなんらの関係もないから、受圧板は単独で抵抗するだけであって、それ以上の抵抗を期待することはできない。        
【０００６】
前記の特許文献３に示す工法では次のような問題がある。 
＜１＞  受圧板の上に、縦枠か横枠のいずれか一方の多孔帯状体が敷設してあり、その一方を挟み枠で挟んで取り付けた後に、一方の多孔帯状体を取り付けるため、縦横の多孔帯状体を同時に挟む場合と比較して、施工手間がかかる。
＜２＞  基盤に設けたリブ部が基盤中心から離れた端部にあり、挟み枠はいずれか一方の多孔帯状体端部の両側2箇所を挟まなければならず、基盤の中心で縦横の多孔帯状体の中心部を1箇所で挟む場合と比較して、挟みこむ箇所数が多く、施工手間がかかる。また、中心部の挟み込み方法と比較して、端部での挟み込みは、ずれ易く、固定強度が低くなる。
【０００７】
前記の特許文献４に示す工法では次のような問題がある。
＜１＞  平板状の支圧部材と平板状の押圧部材でベルトを挟む方法では、開口部のない等厚な平板状部材を使用することから、基盤に開口部があり、中心部が凹部形状となる部材と比較して、重量が重くなり、作業性が悪い。
＜２＞  平板状の支圧部材と押圧部材間にベルト部材が挟まれた状態で、補強材から伝達される押圧力が作用するので、挟まれたベルト部材にも直接押圧力が作用する。したがって、ベルト部材が潰れ易く、破損する危険がある。
＜３＞挟まれたベルト部材が潰れて破損すると、ベルト強度は低くなり、本来の補強効果が望めない。
【課題を解決するための手段】
【０００８】
上記のような課題を解決する本発明の斜面安定化構造は、法面上に設置した縦枠多孔帯状体と、横枠多孔帯状体で格子状に構成した骨組を備え、縦横の多孔帯状体の交点部に基盤と挟み枠で構成した受圧板が設置してあり、この受圧板の上に、横枠多孔帯状体かつ縦枠多孔帯状が交差するように敷設してあり、その多孔帯状体の交差部の中心は、基盤中心部の凹部を有した頂面と取り付け自在の挟み枠で挟んで取り付けてあり、受圧板を貫通して法面内の地山にアンカーを設置して定着してあり、その上から、植生基盤材が吹き付けてある斜面安定化構造を特徴としたものである。      
さらに本発明の斜面安定用受圧板は、多孔網状体を組み立てて構成する法枠に使用する受圧板であり、受圧板は、斜面に取り付ける基盤と基盤に取り付ける挟み枠によって構成し、基盤は開口部と、挟み枠を取り付けるリブとアンカー孔を備え、リブは、アンカー孔の周囲を囲む基盤の中心部に位置しており、リブは、凹部構造を形成した矩形型あるいは多角形型または丸型形状となっており、リブの凹部は、アンカーを螺合する締結具を収納できる高さに形成されており、基盤と挟み枠との間に、法枠を構成する多孔帯状体を挟んで固定することができる、斜面安定用受圧板を特徴としたものである。
【発明の効果】
【０００９】
本発明の斜面安定化構造と斜面安定用受圧板は以上説明したようになるから次のような効果を得ることができる。  
＜１＞受圧板は法枠を構成する多孔帯状体を強固に挟んでいるので両者は一体化して挙動する。
＜２＞リブが基盤の中心部に位置しており、縦横の多孔帯状体が交差する中心部を挟むことができるため、受圧板の固定強度が増加する。
＜３＞そのため、受圧板に地山側からの荷重が作用した場合に、受圧板単独で抵抗する場合と比較して法枠全体が一体化しているので受圧板からの抵抗力を法枠材に伝達することができる。
＜４＞試験結果によれば、受圧板と縦横枠の多孔帯状体を一体化させた場合に、８００ｋｇの抵抗値を得ることができた。これは受圧板を法枠と一体化させていない構造と比較すると約２７倍の抵抗値であった。
＜５＞さらに、短繊維を混合した植生基盤材と組み合わせることにより、試験結果では１，０００ｋｇの抵抗値を得ることができた。これは受圧板と法枠とを一体化させていない構造と比較すると約３４倍の抵抗値であった。        
＜６＞基盤とアンカーの定着は、基盤の中心に設けた凹部内にアンカーを螺合する締結具を収納し、凹部内でアンカーの定着はおこなわれる。縦横の多孔帯状体の固定は、アンカー定着後の凹部上に多孔帯状体を敷設して、挟み枠と凹部頂面の間に挟まれた状態で、他の締結具により固定される。この方法により、アンカーの定着力は基盤のみに直接作用するが、基盤上に固定された多孔帯状体には、アンカーの定着力が直接作用することを防ぐことができるので、多孔帯状体が潰されて破損することが無く、安全に固定することができる。
【図面の簡単な説明】
【００１０】
【図１】本発明の安定化構造の交差部の説明図。
【図２】受圧板を分解した状態の斜視図。
【図３】受圧板の基盤の上に縦横枠の多孔帯状体を配置した状態の斜視図。
【図４】基盤の上の多孔帯状体に挟み枠を設置した状態の説明図。
【図５】基盤の上の多孔帯状体を挟み枠と防食筒で固定した状態の説明図。
【図６】基盤の上の多孔帯状体を箱状の挟み枠と防食筒で固定した状態の説明図。
【図７】交差部の断面図。
【発明を実施するための形態】
【００１１】
以下図面を参照にしながら本発明の好適な実施の形態を詳細に説明する。
【００１２】
＜１＞法枠。
法面の表面に組み立てる法枠Ａは、縦枠Ａ１と横枠Ａ２とを組み合わせた升目状の枠体によって構成する。
本発明では特に縦枠Ａ１と横枠Ａ２との交点に、後述する特殊な形状の受圧板Ｂを設置することがその特徴の一つである。
【００１３】
＜２＞受圧板。
法枠骨組みの交差部に、多孔帯状体を敷設する工程に先だって設置するのが受圧板Ｂである。
受圧板Ｂは、基盤４と挟み枠５によって構成する。
【００１４】
＜２−１＞基盤。
基盤４は、法面に固定する平面部材である。
その基盤４の縦横の寸法は、縦枠Ａ１の幅、横枠Ａ２の幅とほぼ等しい寸法で形成してあり、かつ１か所または複数の開口部を備えている。
基盤４の中心部にはアンカーを通すアンカー孔４１を貫通している。
このアンカー孔４１の周囲を、壁状に突設させたリブ４２で取り囲む。
リブ４２とは一定の高さを備えた枠体であり、内側は凹部を形成して、後述する挟み枠５を取り付ける際の受枠として機能する。
このように基盤４の中心部には周囲よりも高いリブ４２を配置し、その周囲には放射状に多数の開口部４３を形成する。
開口４３の縁には縁板４４を設けるが、この縁板４４の高さは、中心側が高く、外側に向けて徐々に低く形成する。
したがって、受圧板Ｂを水平面に置いた場合、その中心部が高く、周囲の縁板４４は徐々に低くなる。
このリブ４２の外側の、縁板４４で囲んだ多数の開口部４３を通して植物が成長することができる。
このように、受圧板Ｂ自体は、植生を妨げないように開口部４３を有し、中心部に挟み枠５を固定できるリブ４２を備えてあれば機能するものであり、その形状に限定されるものではない。
以上は交差部に受圧板Ｂを設置する場合であった。
しかし交差部ではなく、縦枠多孔帯状体１、あるいは横枠多孔帯状体２の中間位置に受圧板Ｂを設置して上記と同様の構成を採用することができる。
【００１５】
＜２−２＞挟み枠。
一方、挟み枠５は、図２の実施例の板状体、あるいは図６に示す箱状体のような、基盤４よりも面積の小さい取り付け部材である。
この挟み枠５も中心に貫通孔５１を開口してあり、その貫通孔５１にアンカーボルトを貫通し、外側から締結具であるナットによって基盤４の中心部のリブ４２に取り付ける。
したがってナットを緩めれば取り外しも容易である。
この挟み枠５と基盤４中心のリブとの間に、法枠を構成する縦枠多孔帯状体１、および横枠多孔帯状体２の交差部の中心部を挟んで固定することから、これを「挟み枠」と称する。
【００１６】
＜２−３＞箱状の挟み枠。
挟み枠５を箱状体として構成した場合には、箱の底板に貫通孔５１を開口して、底板が多孔帯状体を挟む機能を果たすことになる。
挟み枠５として箱状の枠を使用する場合の利点を説明する。
後述するように、受圧盤Ｂを介して強固に地盤に固定された縦横の多孔帯状体の上から植生基盤材などを吹き付ける。
すると板状の挟み枠５の場合に、高さがないので植生基盤材に埋まってしまい、アンカーに締結したナットの位置が隠れてしまう。
そのためにナットの再締結などの作業の際には、植生基盤材などを取り除いて挟み枠５を露出させる必要がある。
しかし図に示すように挟み枠５を箱状に形成した場合に、一定の高さがあるから埋まってしまうことがない。
したがってナットの確認のために植生基盤材などを取り除く必要がなく、ナットの確認作業を容易に行うことができる。
箱状の挟み枠５を蓋で塞いでおけばさらにナットの維持が確実である。
【００１７】
＜３＞多孔帯状体。
法枠Ａの縦枠、および横枠の骨組みは、多孔帯状体を変形させることによって構成する。
この多孔帯状体は、多数の貫通孔を表面から裏面まで貫通させた材料を帯状に形成した土木資材である。
多数の貫通孔を表面から裏面まで貫通させた材料として、例えば合成樹脂や合成繊維、ガラス繊維、アラミド繊維、炭素繊維を樹脂に含侵させグリッド状に一体整形した線材を格子状に結合した資材を使用する。
図の実施例に示す多孔帯状体は、線材を多少の間隔を介して格子状に結合した材料であるから、線材と線材の間には多くの孔が開口している。
その孔を通して後述する植生基盤材の吹き付け、植物の根の法面に向けた侵入などを許容することができる。
【００１８】
＜４＞多孔帯状体の他の材料。
多孔帯状体は、多数の貫通孔を有する材料であればよく、金網やエキスパンドメタルなども、網目を貫通孔として、その材料として採用できる。
それらの金属製材料の場合は、亜鉛メッキ、より詳しくは亜鉛アルミニウム合金メッキなどにより防錆処理することが好ましい。        
【００１９】
＜５＞縦枠、横枠の形成。
この多孔帯状体をアーチ状に湾曲変形させて、図２〜６に示すような、断面が半円状の法枠骨組みである縦枠多孔帯状体１、および横枠多孔帯状体２を形成する。
多孔帯状体を、断面コ字状やロ字状に折り曲げ変形させて法枠骨組みを形成し、断面を矩形とすることもできる。  
【００２０】
＜６＞多孔帯体の他の実施例。
多孔帯状体を、筒状に屈曲変形させて、縦枠多孔帯状体１、横枠多孔帯状体２とすることもできる。
筒の形状は円筒形状でもよいし、三角形や四角形などの他の多角形を成す角筒形状として構成することもできる。
あるいは、多孔帯状体の中間部分を波形に屈曲させて、斜面側に空間が出来るように伏せるように設置することもできる。
このように波形に屈曲させた場合は、波形部分がリブのように機能し、縦枠、横枠自体の強度が増すことになる。
【００２１】
＜７＞変形の維持。
多孔帯状体を湾曲変形させても拘束を解除すると、原形が１枚の平板であるから、もとの平板に戻ってしまう可能性もある。
そこでアーチ状に湾曲変形させた多孔帯状体の中間の位置に、間隔保持材として、連結材を取り付けて変形状態を維持させる。
この連結材も、合成樹脂製や防錆処理した金網などの建設資材であり、多数の貫通孔を表面から裏面まで貫通させた板状体、あるいは鋼線のような細長い部材である。
この連結材の端部と、多孔帯状体とを連結するには、例えば多孔連結材の一部に切り込みを入れてＬ字状の枝を形成し、この枝を多孔帯状体の線材に係合する方法を採用することができる。
あるいは鋼線によってリングを形成し、このリングを多孔帯状体の開口部と多孔連結材２の開口部に係合する方法を採用することもできる。
なお、変形を維持するためには、単なる棒状体の両端にフックを形成したような針金などの線状のスペーサー部材を間隔保持材として使用して、拘束することも可能である。
ことに、筒状に屈曲した多孔帯状体は、その筒形が変形しないように、間隔保持材を筒の中に掛け渡すと好適である。
【００２２】
＜８＞工程の説明。
次に上記の資材を使用して法枠を構築する場合の工程を説明する。
【００２３】
＜９＞多孔敷設材の敷設。
上記のように多孔帯状体を変形した骨組みを法面の上に縦横に敷設して法枠の骨組みを設置するが、多孔帯状体による縦枠、横枠を斜面上に設置する前の工程で、斜面上に多孔敷設材３を敷設することも可能である。
多孔敷設材３としては、多孔性帯状材と同じ多数の貫通孔が形成された材料の使用が可能であって、アラミド繊維、炭素繊維を樹脂に含浸させ、グリッド状に一体成形した線材を格子状に結合した資材などが採用できる。
あるいは、金網やエキスパンドメタルの表面を、亜鉛メッキ、より詳しくは亜鉛アルミニウム合金メッキによって防錆処理したような材料も採用できる。
このような多孔敷設材３を法面上に敷設すると、法面の土壌の流出を防ぐことができる一方、貫通孔からの植生も阻害することがない。
【００２４】
＜１０＞基盤の設置。
多孔敷設材を敷設した場合はその上に、前記した受圧板Ｂの基盤４だけを設置する。
この設置位置は、格子状に組む法枠Ａの、縦枠多孔帯状体１と横枠多孔帯状体２の交差部の予定位置である。
設置に際しては、斜面に予めアンカー６を打設しておき、このアンカー６を受圧板Ｂのアンカー孔４１に通して、受圧板Ｂを斜面上に設置する。
そして基盤４のアンカー孔４１から突出したアンカー部分にナットを螺合して、基盤４を法面に固定する。
アンカー６としては、ロックボルトを使用することも、アンカー引張材の上部をシースの中に通して、下部の剥き出しにした部分を削孔内にてグラウト材で定着するグラウンドアンカーを使用することも可能であり、本発明のアンカー６とはそれらを含んだ意味である。            
【００２５】
＜１１＞多孔帯状体の敷設。
先行して設置した受圧板Ｂの基盤４上に、縦枠、および横枠の多孔帯状体を敷設する。
この際、基盤４上の中心部に、縦横枠の多孔帯状体の交差する中心部が位置するように敷設する。
その後に基盤４の上から挟み枠５を、アンカーの露出部にナットで螺合することで固定する。
すると、縦枠多孔帯状体１および横枠多孔帯状体２は、基盤４と挟み枠５によって強固に受圧板Ｂと一体化して法面に固定されることになる。
【００２６】
＜１２＞交差部の構成。
交差部において受圧板Ｂの基盤４だけを先行して設置しておく状態は前記したが、さらに多孔帯状体の配置、形状を詳細に説明する。
縦枠Ａ１の法枠骨組みと、横枠Ａ２の法枠骨組みとの交差部においては、縦横の多孔帯状体を分断せずに一体化するように構成する。
その際には、縦枠多孔帯状体１、横枠多孔帯状体２が基盤４の上を乗り越えるが、基盤に至るまで縦多孔帯状体１、横枠多孔帯状体２はそれぞれの枠横断方向にアーチを形成していたものであるから、基盤４上ではアーチの中心部をつぶすように変形させて、基盤４の上から挟み枠５で挟さみ込み込む。
その結果、縦枠多孔帯状体１、横枠多孔帯状体２は変形した両側では、アーチを形成して乗り越えることになる。
このように交差部については、多孔帯状体は受圧板Ｂの基盤４と挟み枠５で固定されるが、基盤はリブ４２により中央部が高くなっていることから、縦枠多孔帯状体１、横枠多孔帯状体２は、その形状に近い形状に変形して基盤４と挟み枠５とで挟まれて固定されるとともに、受圧Ｂ板を乗り越えて敷設されることになる。
挟み枠５のアンカー孔５１を貫通して外部に露出したアンカーの端部は防食用の筒をかぶせて保護する。
【００２７】
＜１３＞試験結果。
本発明の構成を採用した効果を試験によって明らかにした。
１）  使用材料。
【００２８】
2015132083.tif 000003
２）  試験方法。
【００２９】
法枠に鉛直方向の変位を作用させたときの変形量とその抵抗力を計測する。
３）  試験結果。
【００３０】
2015132083.tif 000004
以上の試験結果から明らかなように、本発明の請求項１記載の構成のように、挟み枠５を使用して受圧板Ｂと多孔帯状体を一体化した場合に、受圧板Ｂのみを敷設した構成と比較して、２７倍の抵抗力の増加を得ることができた。
さらに本発明の請求項２記載の構成のように、短繊維を混合した植生基盤材を吹き付けた場合には、受圧板のみを敷設した構成と比較して、３４倍の抵抗力の増加を得ることができた。
【００３１】
＜１４＞十文字形の法枠。
格子状に組んだ法枠Ａとは異なり、縦枠Ａ１と横枠Ａ２を独立した十文字形に組むことも可能である。
すなわち「十」の文字が分散して配置してあるような状態である。
その場合には、縦枠Ａ１と横枠Ａ２は、或る程度長さが連続的になる縦枠多孔帯状体１と横枠多孔帯状体２を使用し、これをクロスさせて十文字形になるように組み立てる。
交差部で多孔帯状体が受圧板Ｂの基盤４を乗り越えて、その乗り越え部を挟み枠５で固定する構成は前記の実施例と同じである。
このような十文字形の法枠骨組みを、法面上に多数個、適宜間隔を置いて設置するものである。
設置の位置は、必ずしも隣り合う縦枠Ａ１と縦枠Ａ１、或いは横枠Ａ２と横枠Ａ２とが、その延長線上に一直線に並ばなくてもよい。
例えば十文字形の法枠Ａを、斜面５上に千鳥状に設置することも可能である。
【００３２】
＜１５＞植生基盤材の吹き付け。
縦横の多孔帯状体を斜面上に敷設した後、多孔帯状体の上から植生基盤材を吹き付ける。
植生基盤材は、例えば砂と繊維とセメントと水を混合したような公知の材料を使用する。
砂や繊維を接合する材料としてセメント材料を使用するが、接合材として、例えば高分子樹脂（接着剤のようなもの）も採用可能である。
混合する繊維は、短繊維でも長繊維でもよい。或いは短繊維を２種以上混合することもある。繊維の種類としては、合成樹脂繊維の他、ガラス繊維、スチールファイバーなど様々な繊維が採用可能である。
この植生基盤材を攪拌し、コンプレッサで圧縮した空気によって、斜面に敷設した縦横の多孔帯状体の上から、孔を通過して内部に侵入するよう、多孔帯状体上部から植生基盤材を吹き付ける。さらに多孔帯状体の周囲にも、多孔帯状体を巻き込むように植生基盤材を吹き付ける。
アーチ状などに変形させた後の多孔帯状体の間を連結する多孔連結材も多数の孔を開口しているから、多孔連結材の下部の位置にも植生基盤材を完全に充填することができる。
【００３３】
＜１６＞緑化基盤材の吹き付け。
縦横の枠Ａ１、Ａ２の上や、法枠Ａ１やＡ２で囲まれた斜面の地山が露出している部分、及び受圧板Ｂの上や周囲に、緑化基盤材を吹き付ける。
緑化基盤材としては、バーク堆肥、種子、肥料、接合材などを混合した公知のものを採用することができる。
この緑化基盤材を、攪拌し、コンプレッサで圧縮した空気によって、植生基盤材の吹き付けを行っていない露出した斜面上に吹き付け、法枠Ａを完成する。
【符号の説明】
【００３４】
Ａ１：縦枠
Ａ２：横枠
Ｂ：受圧板
１：縦枠多孔帯状体
２：横枠多孔帯状体
３：多孔敷設材
４：基盤
５：挟み枠        
【図１】
2015132083.tif 000005
【図２】
2015132083.tif 000006
【図３】
2015132083.tif 000007
【図４】
2015132083.tif 000008
【図５】
2015132083.tif 000009
【図６】
2015132083.tif 000010
【図７】
2015132083.tif 000011